(57)【特許請求の範囲】
【請求項１】
演奏動作を行うオルゴールと、オルゴールディスクを複数枚収納可能である収納部を備え、前記収納部に複数枚収納されたオルゴールディスクを前記オルゴールへ移送する移送機構を設けたディスクオルゴールのオートチェンジ機構において、
前記収納部は、オルゴールの保持方向と同方向に立設して収納するものであり、また、前記移送機構は、収納部に収納されたオルゴールディスクを移送機構に保持する保持機構と、前後移動及び回動移動する駆動機構と、保持されたオルゴールディスクを回転駆動して、演奏動作を開始する演奏機構とを備え、前記収納部に保持された任意のオルゴールディスクを選択保持して、オルゴールにセットし、前記演奏機構によって、オルゴールディスクの演奏動作を行い、演奏終了後には、再び、収納部に移送するものであり、
前記オルゴールディスクは、中央に装着孔を有するものを用い、
更に、前記保持機構は、前記オルゴールディスクを装着して該オルゴールディスクの前記装着孔を係止保持及び装着解除する装着部材を備え、
前記移送機構がオルゴールセット位置並びにオルゴール収納位置にあるときに、前記保持機構の装着部材により前記オルゴールディスクの係止保持及び装着解除がなされるものであることを特徴とするディスクオルゴールのオートチェンジ機構。
【請求項２】
前記演奏機構は、駆動機構に備えられたモータ駆動を前記保持機構の歯車体に連動する所定の歯車及び伝達軸を備え、オルゴールセット時にオルゴールディスクを回転して、所定位置から所定速度で演奏動作を行うものであることを特徴とする前記請求項１記載のオルゴールディスクのオートチェンジ機構。
【発明の詳細な説明】
【０００１】
【発明の属する技術分野】
本発明は、所定の演奏パターンに複数の演奏係合部を設けたオルゴールディスクを、モータにより回転駆動し、所定の演奏タイミングで、スターホイールを演奏係合部が係合して回転させ、スターホイールによりオルゴール弁を弾いて、メロディを奏でるディスクオルゴールに関し、使用者が、複数のオルゴールディスクから任意に選択可能とし、各曲毎に正確に演奏開始、停止が行えるようにした。
【０００２】
【従来の技術】
一般に、時計等の報知に用いられる発音手段としては、発音回路及びスピーカ等を用いて、無機的な電子音を得るものに限らず、機械的なオルゴールを用いて、柔らかく古風なオルゴール音を得るようにしたものが知られている。
【０００３】
このようなオルゴールは、単一の曲目をオルゴール演奏するものが一般的であり、この音程に応じた複数の発音部分を備えた長板状の発音体と、この発音体に対向配置された所定の演奏タイミングで発音体の発音部分を爪弾く突起が突設されたドラム体と、このドラム体を一定速度で回転駆動する駆動部とから構成されている。
【０００４】
すなわち、この発音体は、略長板状の金属板を、音階数に応じた所定数の発音部分であるクシ歯状に形成され、これらのクシ歯部分（オルゴール弁）は、所定の長さ且つ厚さに形成され、このオルゴール弁の先端が爪弾かれた場合には、分担する音階のオルゴール音を発生するようにしている。また、ドラム体は、少なくとも発音体より長い円筒状に形成され、発音体の発音部位に対峙して回転可能に配設され、発音体の発音部分に対応した外周には、曲目に合せて間歇的な突起が形成されている。そして、駆動部が、ドラム体を一定方向に所定スピードで回転駆動することにより、所定のタイミングでドラム体の各突起が、発音体の各発音部位を爪弾くことにより、曲目をオルゴール演奏している。
【０００５】
また、このように予め組込まれたドラム体の替わりに、異なる曲目が記録された複数のオルゴールディスクを、交換可能に構成し、任意の曲目をオルゴール演奏できるようにしたオルゴールも、提案されている。
【０００６】
このオルゴールディスクは、円盤状に形成され、該オルゴールディスクの一面を発音体のオルゴール弁に応じて複数トラックに区画し、そのトラックが分担した音階の演奏タイミングに応じた周方向の箇所に演奏用係合部を形成した構成とされ、これらの演奏用係合部は、オルゴールディスクの所定箇所に設けた突起や所定径の孔により構成されている。そして、このような演奏用係合部を用いて、発音体の所定部位を、爪弾くことによって、オルゴール演奏が行われる。
【０００７】
すなわち、このオルゴールディスクを用いるオルゴールは、多数の演奏用係合部を備えた円板状のオルゴールディスクを装着してオルゴール演奏するものであって、オルゴールディスクはオルゴール本体部の駆動機構により回転駆動され、他方、オルゴール本体部には、発音体のオルゴール弁を弾くスターホイールを、スターホイール軸に回転可能に装着している。そして、駆動機構によりオルゴールディスクを回転させると、オルゴールディスクの演奏用係合部が該演奏用係合部に対応するスターホイールの爪を引っ掛けて該スターホイールを回転させ、この回転するスターホイールを後続する他の爪により、所定のタイミングで所定音階のオルゴール弁を弾いてオルゴール音を生成し、メロディを奏でることができる。
【０００８】
また、このディスクオルゴールは、スターホイールに対向する部位のオルゴールディスクを、押えローラを備えたオルゴールディスク押えアームで片側面から押圧して保持することにより、比較的に薄い厚さのオルゴールディスクを用いることができる。従って、異なる曲目パターンが形成されたオルゴールディスクを、多数、廉価に制作することができるとともに、オルゴールディスク自体が薄板円盤状なので、ＣＤサイズのメディアと同様に、収納、保管も容易に行え、効率的に輸送することができ、効率的な商品流通が図れる。
【０００９】
更に、このようにオルゴールディスク自体の取扱が容易なので、オルゴールに着脱することも簡易に行え、短時間にオルゴールディスク交換できる。従って、予め異なる曲目のオルゴールディスクを複数枚、用意しておき、これらのオルゴールディスクから任意の曲目を選択してオルゴールディスクを交換することにより、オルゴール演奏する曲目の変更を迅速且つ容易に行うことができる。
【００１０】
このように、ディスクオルゴールは、ドラム固定型の１曲専用のオルゴールに比べて、複数のオルゴールディスクから任意のオルゴールディスクを選択した簡単に装着できるので、曲目の変更が柔軟且つ容易に行える利点を有している。
【００１１】
【発明が解決しようとする課題】
このような、ディスクオルゴールにオルゴールディスクの自動交換機構を設けようとした場合は、その交換が確実にでき、機構自体が簡易であり、交換動作に信頼性のある機構が要請される。
【００１２】
ところで、従来、レコード盤を複数収納して、所謂ピックアップ機構により適宜のレコード盤を演奏に供するジュークボックスにおいて、レコード盤の自動交換機構が用いられている。この自動交換機構は、レコード盤の演奏はレコード盤を水平にして行う一方で、レコード盤の収納はレコード盤を縦置きするのが一般的であり、従って、縦置きのレコード盤を横置きの演奏位置に転換するといった複雑な搬送軌跡を辿る駆動を余儀なくされ、大型化やコスト高を招いていた。
【００１３】
また、近時においては、ＣＤプレイヤーにＣＤディスクの自動交換機構を設けたものが多用され始めている。この種の自動交換機構は、前述のレコード盤の場合と相違して、横置きのＣＤディスクを移動して、横置きのまま読み出し装置で出力するようになっているが、この機構をオルゴールディスク自動交換機構に転用するには、例えば縦置きディスクを縦置きで演奏する場合は困難である。また、ディスクはディスク表面が平滑に形成され、発音体を共鳴させるための突設する爪が形成されているオルゴールディスクのような凸部を有するものには、転用することができない。更に、ＣＤプレイヤーの読取りヘッド部分は軽量小型化され、容易且つ迅速な移動操作が可能に構成され、この特質を用いて自動交換化しているのに対して、ディスクオルゴールは、良質な発音動作を行わせるために、オルゴール発音体にある程度の大きさと重さが必要なので、比較的に移動困難であり、ＣＤプレイヤーの自動交換機構をそのまま転用することはできない。
【００１４】
そこで、本発明は、この種のディスクオルゴールについて、選択動作が簡易且つ確実な機構を用いて、任意のオルゴールディスクを選択することが可能なディスクのオートチェンジ機構を提案するものである。
【００１５】
【課題を解決するための手段】
本願第１請求項に記載された発明は、演奏動作を行うオルゴールと、オルゴールディスクを複数枚収納可能である収納部を備え、前記収納部に複数枚収納されたオルゴールディスクを前記オルゴールへ移送する移送機構を設けたディスクオルゴールのオートチェンジ機構において、前記収納部は、オルゴールの保持方向と同方向に立設して収納するものであり、また、前記移送機構は、収納部に収納されたオルゴールディスクを移送機構に保持する保持機構と、前後移動及び回動移動する駆動機構と、保持されたオルゴールディスクを回転駆動して、演奏動作を開始する演奏機構とを備え、前記収納部に保持された任意のオルゴールディスクを選択保持して、オルゴールにセットし、前記演奏機構によって、オルゴールディスクの演奏動作を行い、演奏終了後には、再び、収納部に移送するものであり、前記オルゴールディスクは、中央に装着孔を有するものを用い、更に、前記保持機構は、前記オルゴールディスクを装着して該オルゴールディスクの前記装着孔を係止保持及び装着解除する装着部材を備え、
前記移送機構がオルゴールセット位置並びにオルゴール収納位置にあるときに、前記保持機構の装着部材により前記オルゴールディスクの係止保持及び装着解除がなされる構成のディスクオルゴールのオートチェンジ機構である。
【００１６】
このように、本発明のオートチェンジ機構に設けた移送機構は、オルゴールディスクの任意選択及びオルゴールディスクを保持する保持機構、オルゴールディスクをオルゴールにセットし、演奏動作を行う演奏機構を同時に備えるものであり、オルゴールディスクの保持、移送及び演奏の一連の動作を、安定に行うことができる。また、前記収納部は、複数枚数のオルゴールディスクを前記オルゴールの保持方向と同方向に立設して収納するので、移送機構の動きを前後及び回転駆動の可及的単純な動作で賄うことができる。また、前記オルゴールディスクは、中央に装着孔を有するものを用い、更に、前記保持機構は、前記オルゴールディスクを装着して該オルゴールディスクの前記装着孔を係止保持及び装着解除する装着部材を備え、そして、前記移送機構がオルゴールセット位置並びにオルゴール収納位置にあるときに、前記保持機構の装着部材により前記オルゴールディスクの係止保持及び装着解除がなされるので、オルゴールディスクが、比較的単純な動作で移送機構に安定に保持され、移送動作の信頼性が向上する。
【００１９】
本願第２請求項に記載した発明は、前記請求項１記載のディスクオルゴールのオートチェンジ機構において、前記演奏機構は、駆動機構に備えられたモータ駆動を前記保持機構の歯車体に連動する所定の歯車体及び伝達軸を備え、オルゴールセット時にオルゴールディスクを回転して、所定位置から所定速度で演奏動作を行う構成のオルゴールディスクのオートチェンジ機構である。
【００２０】
このように、移送機構には、オルゴールディスクの演奏動作を行う演奏機構が備えられているため、オルゴールディスクを保持機構に保持したまま演奏動作を行うことができ、移送動作から演奏動作への移行がスムーズとなる。
【００２１】
【発明の実施の形態】
以下、本発明のディスクオルゴールに係る第１具体例を図１乃至図８に基づいて説明する。
【００２２】
図１及び図２に示すように、本例のディスクオルゴールのオートチェンジ機構１０は、ケース１１内部に、オルゴールディスク（以下、ディスク１と称する）を用いたディスクオルゴール（以下、オルゴール２０と称する）を配設するとともに、下側に、複数枚のディスク１を収納する収納部１２と、ディスク１をオルゴール２０に移送する移送機構１３を備えた構成とされ、このオルゴール２０によるオルゴール演奏動作やオートチェンジ機構１０によるディスク効果動作を、外部から視認できるように設けられ、演出効果や装飾効果を十分に発揮できるようにして、商品価値を高めるようにしている。
【００２３】
すなわち、ディスク１は、前記移送機構１３によって任意に選択され、オルゴール２０に移送されるとともに、前記移送機構１３の駆動機構によってディスク１を回転させ、自動的にディスク交換及び安定したオルゴール演奏を行えるようにしたものである。
【００２４】
尚、本例のオートチェンジ機構１０は、時計と組合せて用いることも可能であり、その場合は、文字盤を備えた時計が配置され、時計の時報動作として、オルゴール演奏がなされるようにしている。
【００２５】
また、後述するが、本例のディスク１自体は、基本的に従来構成と同様に、演奏用の係合部３（係合突起３Ａ）を設けたオルゴールディスクであり、そして以下記載する構成のオルゴール２０に用いられている。
【００２６】
まず、ディスク１を説明した後、オートチェンジ機構１０及びオルゴール２０の演奏動作について説明する。
【００２７】
図３乃至図５に示すように、このディスク１は、ステンレス等の軽金属を用いて所定の剛性強度を備えた円盤形状に形成され、その裏面に曲目パターンに応じて複数の演奏用係合部３が設けられている。
【００２８】
また、ディスク１は、その中心に所定の内径を備えた円形状の装着孔２Ａが貫設され、この装着孔２Ａの近傍且つ曲目パターンの開始位置に応じた角度位置には、略四角形状の位置決め孔２Ｂが貫設されている。
【００２９】
また、このディスク１の裏面は、前述したオルゴール２０のオルゴール発音体２７のオルゴール弁２７ａに相応して、径方向に複数トラックに区画されており、各トラックが分担した音階の発音タイミングに応じた周方向の箇所には、演奏用係合部３が形成され、これらの演奏用係合部３により、所定の曲目パターンを構成している。
【００３０】
また、この演奏用係合部３は、本例においては、突起タイプのものが用いられており、金属製ディスク１の該当箇所を切り起こして突起３Ａを形成し、この突起３Ａを発音動作用の係合駆動部３としている。すなわち、略長方形のコ字形状に切り込み３ａを形成し（図４（１））、この切り込み３ａを押圧して切り起こし部３ｂに成形し（図４（２））、更にこの切り起こし部３ｂを中間で折り曲げて、所定高さにディスク１背面から突出した突起３Ａを形成している（図４（３））。また、このような演奏用係合部３は、自動的な加工機械により、ディスク１の内周側から外周側に向って、順次、形成されている。従って、このように演奏用係合部３を形成しているので、簡易な製作治具、製作工程で容易に、多数のディスク１を製作することができる。
【００３１】
更に、このディスク１には、後述する移送機構の駆動部が装着される装着孔２Ａと、同ディスク１の位置決め孔２Ｂが形成されている。
【００３２】
次に、前記オルゴール２０にディスク１を自動交換するオートチェンジ機構１０を説明する。
【００３３】
このオートチェンジ機構１０は、再び図１及び図２に示すように、所定枚数のディスク１を立設して収納する収納部１２と、この収納部１２に収納されたディスク１を、オルゴール２０に移送してセットするとともに、演奏終了したディスク１を、オルゴール２０から収納部１２に移送して元の収納箇所に戻す移送機構１３と、各機構の動作を判別するセンサ群とから構成されている。
【００３４】
この収納部１２は、ケース１１の上側に配設されたオルゴール２０に応じて、ケース１１の下側且つ中央に配設され、ケース１１の前後方向に、複数枚のディスク１を所定間隔を設けて、格納できるようにしている。
【００３５】
すなわち、この収納部１２は、各ディスクの回転中心を単一直線上に揃えて、ディスク１を収納するとともに、この収納したディスク１の装着孔２Ａ中心に対して、ケース１１左右方向の垂下線上に揃うように、配設されている。そして、前記収納部１２に隣接してオートチェンジ機構１０が設置されている。
【００３６】
従って、このように、移送機構１３と収納部１２に収納されたディスクの位置関係を設定しているので、移送機構１３の前後及び回動駆動の２次元的な移動動作のみで、収納部１２からオルゴール２０へのディスク・セット動作及び、オルゴール２０から収納部１２への収納動作を行えるようにしている。
【００３７】
そして、この収納部１２は、その上面にディスクの外周よりも僅かに小さい半径の円弧状の切欠き部１５が、ケース１１の前後方向に沿って、設けられるとともに、この切欠き部１５には、同様にケース１１の前後方向に沿って、ディスク１が互いに接触しない程度の間隔を設けて、ディスク１外周半径に応じた深さの溝部１６が設けられている。
【００３８】
従って、このような収納部１２の各溝部１６内に、各ディスク１は、その下側外周の略中央を遊嵌させることにより、そのディスク面を垂直に、安定して支持されるとともに、互いに、干渉しないように収納部１２に収納することができる。また、このようなディスク１は、そのディスク１の表面を、ケース１１前面に向けて、収納されるので、外観性や、収納したディスク１の識別性を良好に確保することができる。
【００３９】
尚、本例においては、ケース１１前面から見てディスクが単一に重なるように収納したが、これに限らず、ケース１１内のスペース的に余裕があれば、切欠き部に僅かに勾配を付けて、背面側に後続するディスクが高くなるように設けて、収納部１２へのディスク出し入れや、収納したディスクの視認性、デザイン性を向上させてもよい。
【００４０】
また、この収納部１２には、各ディスクの収納状態を判別する収納センサが配設され、収納部１２の各溝部内のディスクの有無を個別に判別できるようにしている。
【００４１】
すなわち、本例のおいては、図示を省略した各溝部内に、スイッチレバーが突出されて配設されたマイクロスイッチを用いており、このマイクロスイッチの出力端子は、制御回路面に接続されている。
【００４２】
また、移送機構１３は、モータ駆動を他の機構に伝える駆動機構３０と、ディスク１を保持する保持機構４０と、ディスク１をオルゴール２０にセットした場合に所定位置からディスク１を回転し、オルゴールの演奏動作を行う演奏機構５０から構成されている。
【００４３】
この駆動機構３０は、図１及び図２に示すように、内部に前後移動用モータが収納されたモータブロック３１Ａと、回動移動用モータ、カム駆動用モータ及び演奏用モータが収納されたモータブロック３１Ｂと、ケース前後方向に亘って設けられたラック３２と、前記モータブロック３１Ａの下部に設けられ、前記ラック３２と噛合ピニオン３３から構成されている。、前記モータブロック３１Ｂは、モータブロック３１Ａの前面に装着されている。
【００４４】
すなわち、モータブロック３１Ａは、前記前後移動用モータ駆動によってピニオン３３が回転し、ラック３２に沿って前後方向の移動動作を行う。また、モータブロック３１Ｂは、回動移動用モータ駆動により、図示を省略した円弧状ラックに沿って９０度の回動動作を行う。
【００４５】
また、モータブロック３１Ａ及び３１Ｂは、このモータブロック３１Ｂに一体に形成される保持アーム４１が、収納部１２に収納されたディスク１の装着孔２Ａに対応する位置と平行となるように、収納部１２に隣接する台座３４上に設置されている。
【００４６】
また、保持機構４０は、図５及び図６に示すようにモータブロック３１Ｂからディスク１方向に突出する保持アーム４１と、保持アーム４１の先端に設けられたホルダー４２と、前記ホルダー４２内部に設けられ、ディスク１に装着されて、ホルダー４２にディスク１を安定に保持する装着部材４３から構成されている。
【００４７】
前記ホルダー４２は、ディスク１の支持部となる外周支持部４２Ａと、底部４２Ｂを有し、前記底部４２Ｂには、演奏動作時にディスクの回転中心となる中心軸４４が立設され、保持アーム４１と一体に形成されている。
【００４８】
前記装着部材４３は、相互に一致する複数の溝部４５ｂ，４６ｂが設けられた第１及び第２のロケーションディスク４５，４６と、前記２枚のロケーションディスクの溝部４５ｂ，４６ｂに嵌着されるピン４７を設けたピンプレート４８と、保持されたディスク１の回転動作を行う歯車体４９によって構成されている。
【００４９】
前記２枚のロケーションディスク４５，４６及びピンプレート４８は、前記歯車体４９内部に設置され、前記歯車体４９は、ホルダー４２の内部に設置される。
【００５０】
第１のロケーションディスク４５は、矩形状の３つの溝部４５ｂが形成され、中央には、中心軸４４が挿通される軸挿通部４５ａが形成されている。この軸挿通部４５ａは、その内径がホルダーに立設された中心軸の外径とほぼ同一径に形成されている。
【００５１】
また、第２のロケーションディスク４６は、前記第１のロケーションディスク４５の矩形状の溝部４５ｂと合致する長円状の溝部４６ｂが形成され、また、第１のロケーションディスク４５と同様に、軸挿通部４６ａが形成されている。
【００５２】
ピンプレート４８に形成されたピン４７はそれぞれ、前記第１及び第２のロケーションディスク４５，４６に形成された溝部４５ｂ，４６ｂに挿通可能な位置に立設され、ピン４７の先端部には、ディスク１を係止保持する係止部４７Ａが形成されている。また、ピンプレート４８においても、前記第１及び第２のロケーションディスク４５，４６と同様に、軸挿通部４８ａが形成されている。
【００５３】
また、前記歯車体４９は、比較的に大径の円筒状に形成され、この外周には、所定の歯数の歯車部４９Ｃと、ディスク１の下面に当接するとともに、ディスク１の前記位置決め孔２Ｂと係合する突起部４９Ｄと、ディスク回転位置検出用の切欠き部４９Ｂを備えた支持部４９Ａとが一体成形により設けられている。
すなわち、これらの装着部材４３は、先ず、第１及び第２のロケーションディスク４５，４６の各溝部４５ｂ，４６ｂにピンプレート４８のピン４７が挿通され、円筒状の歯車体４９内部に前記第１及び第２のロケーションディスク４５，４６及びピンプレート４８を保持し、更に、前記中心軸４４が、各部材の軸挿通部４５ａ，４６ａ，４８ａに挿通されて、これらの部材４５，４６，４８及び歯車体４９をホルダー４２内部に支持される。
【００５４】
次に、保持機構４０によってディスク１がホルダー４２に保持される動作を説明する。
【００５５】
前記保持機構４０は、モータブロック３１に設けられたカム３６の駆動が連動軸３７を介して、前記第１及び第２のロケーションディスク４５，４６に伝えられ、前記各ロケーションディスク４５，４６を左右方向に回動し、ピン４７がスライド移動してディスク１の装着孔２Ａに挿通されて係止部４７Ａにより、ディスク１を係止保持する構成となっている。
【００５６】
すなわち、第１及び第２のロケーションディスク４５，４６が回動し、複数の前記ピン４７が各溝部４５ｂ，４６ｂ内をスライド移動して係止部４７Ａを中心軸４４方向に集め、係止部４７Ａをディスク１の装着孔２Ａに挿入する。その後、再び、第１及び第２のロケーションディスク４５，４６を前記回動方向と反対の方向に回動し、ピン４７及びピンプレート４８は、弾性を有する部材によって構成されているため、ピン４７の係止部４７Ａを外周方向に移動する。従って、前記係止部４７Ａがディスク１の装着孔２Ａの外周に沿ってディスク１を係止し、ディスク１がホルダー４２に保持される。
【００５７】
また、第１のロケーションディスク４５の支持面４５Ａ、歯車体の支持部４９Ａの支持面がディスク１に当接し、更に、ホルダー４２の外周支持部４２Ａの支持面が当接して、ディスク１が挟持される。
【００５８】
このように、ディスク１は、係止部４７Ａ及び各支持面４２Ａ，４５Ａ，４９Ａによって、安定にホルダー４２に保持される。
【００５９】
また、ディスク１のホルダー装着を解除する場合には、再び、カム３６の駆動が連動軸３７を介して、第１及び第２のロケーションディスク４５，４６に伝達され、ピン４７の係止部４７Ａを中心軸４４方向に集合させて、係止部４７Ａをディスク１の装着孔２Ａから、抜き出すことにより、ディスク１をホルダーから容易に取り外すことができる。
【００６０】
次に、保持機構４０によって、移送機構１３に保持されたディスク１をオルゴール２０にセットする動作について説明する。
【００６１】
すなわち、保持アーム４１先端に一体に形成されたホルダー４２にディスク１が装着されると、モータブロック３１Ｂが、９０度回転し、オルゴール２０と平行位置となるようにディスク１を移動する。更に、ラック３２に沿って、ピニオン３３が回動し、前記モータブロック３１Ａが前後に移動し、ケース背面上部に設けられたオルゴール２０にディスク１を演奏可能にセットする。
【００６２】
次に、ホルダーに装着されたディスク１の演奏動作を行う演奏機構５０について説明する。
【００６３】
この演奏機構５０は、図６に示すように、ディスク１がホルダーに装着され、更に、オルゴール２０にセットされた場合に、オルゴールディスク１を回動駆動する演奏用のモータＭと、このモータ回転出力を保持機構４０に備えられた歯車体４９に減速しつつ伝達する第１入力歯車５２、伝達軸５３、第１出力歯車５４、第２歯車５５とから構成されている。
【００６４】
この演奏機構５０のモータＭは、ＤＣモータが用いられ、モータＭは、オートチェンジ機構のモータブロック内に設けられている。
【００６５】
また、このモータＭの電源端子は、図示を省略したモータ駆動回路に接続され、このモータ駆動回路から、供給される駆動電流により、動作するように構成されている。
【００６６】
更に、このモータＭの出力軸には、ウォームギア５１が固着され、このウォームギア５１には、第１入力歯車５２が噛合している。この第１入力歯車５２は、このモータ出力軸の長手方向と直交し、且つスターホイール軸２６Ａと平行に軸支された伝達軸５３に一体に固着され、この伝達軸５３の他端には、第１出力歯車５４が固着されている。この第１出力歯車５４は、第２歯車５５の入力歯車部５５ａに噛合し、この第２歯車５５に一体に形成された出力歯車部５５ｂは、ディスク・セット時には、該ディスク１を装着したホルダー４２内部の歯車体４９に形成された歯車部４９Ｃに噛合できるようにしている。
【００６７】
すなわち、この第２歯車５５は、互いに直交する回転面を有する入力歯車部５５ａ、出力歯車部５５ｂを一体に備えており、その入力歯車部５５ａが、略円板上の外周縁を軸方向に突設するとともに、この突設された端面に歯部が刻設されて形成され、この歯部が、第１出力歯車５４に噛合している。また、この第２歯車５５の出力歯車部５５ｂは、入力歯車部５５ａと同軸且つ内周に、比較的に小径な外歯状歯車に形成され、ディスク・セット時には、この出力歯車部５５ｂが、ディスク１に装着された歯車体の歯車部に噛合するように設けられている。従って、第１入出力歯車の回転を、該回転軸に直交する方向に装着された歯車体に、減速しつつ伝達するようにしている。
【００６８】
更に、これらの互いに噛合する各歯車５１，５２，５４，５５ａ，５５ｂ間には、所定の減速比が設定されている。
【００６９】
このように構成された演奏機構５０により、モータＭの回転駆動力は、所定速度に減速されつつ歯車体４９に伝達され、この歯車体４９に装着されたディスク１を所定の回転速度で回転させるようにしている。
【００７０】
また、オルゴール音を発生するオルゴール発音体２７は、金属素材を用いて長板形状に形成され、セットされたディスク１と平行になるように、ケース背面板上に配設されている。このオルゴール発音体２７の一端側の先端は、クシ歯状に形成されたオルゴール弁部２７ａが設けられ、オルゴール弁部２７ａ側の端部が、ディスク１の半径方向に揃うように、他端側の基端が台座部２１に固定されている。また、これらのオルゴール弁部２７ａ，２７ａは、発音する音階数に応じた所定数が設けられ、それぞれが、音階に応じた所定の厚さ及び長さに形成され、これらのオルゴール弁部２７ａ，２７ａの先端が弾かれると、所定の音階／音程のオルゴール音を生成するように設けられている。
【００７１】
そして、保持アームに対応したディスク１下面側の箇所には、ディスク１の音階トラック数に応じた複数のスターホイール２６が、スターホイール軸２６Ａにより、回転可能に軸支されている。
【００７２】
このスターホイール２６は、どのような回転位置でも、ディスク１の係合突部に係合できるように、８つの爪部が設けられており、これらの爪部の回転方向における前側は、鋭角なスロープ面に形成される一方、後側は、回転方向に直交する面に形成されて、ディスク１の係合突部との係合を確実に行えるようにしている。
【００７３】
また、各スターホイール２６に対峙した箇所には、摩擦を低減できる合成樹脂を用いてスターホイール２６と同数に所定幅の間隙部を有した離間部材が設けられ、各スターホイール２６を、スターホイール軸長手方向に沿った所定の間隔に維持できるようにしている。
【００７４】
従って、各スターホイール２６は、回転可能に、それぞれ、対応したオルゴール発音体２７のオルゴール弁部２７ａに、常に対峙した位置であり、且つ、ディスク１に設けられた演奏用係合部３の回転軌跡に、常に対峙した位置で保持されるようになっている。
【００７５】
そして、オルゴール２０に、任意に選択したディスク１が移送機構によってセットされると、図示を省略した制御回路から正時に起動信号が出力されたり、同様に図示を省略したモニタースイッチを使用者がオン操作すると、駆動機構２４によりディスク１が回転駆動され、曲目の音階に応じたオルゴール弁部２７ａが、所定のタイミングでスターホイール２６の爪部２６ａによる爪弾かれ、オルゴール演奏が行われる。
【００７６】
すなわち、ディスク１の各演奏用係合部３の突起が、該演奏用係合部３に対応するスターホイール２６の爪部２６ａを引っ掛けて、該スターホイール２６を強制的に回転させ、この回転するスターホイール２６の後続する他の爪部２６ａにより、最終的にオルゴール弁部２７ａが弾かれ、オルゴール音が発生する。
【００７７】
これは、ディスク１が回転駆動され（図７（１））、演奏用係合部３がスターホイール２６の爪部２６ａのうち、例えば爪部２６ａと係合する（図７（２））と、該爪部２６ａは演奏用係合部３の突起３Ａにより強制的に移動され、スターホイール２６が回転させられる。このとき、スターホイール２６の爪部２６ａに後続する爪部２６ａがオルゴール弁部２７ａと当接し（図７（３））、更に回転移動してオルゴール弁部２７ａを爪弾いて（図７（４））、この結果、当該オルゴール弁部２７ａの固有な音階のオルゴール音が発生する。
【００７８】
次に、演奏開始及び演奏終了の位置の検出手段、及び、ディスク１の１回転検出手段について説明する。
【００７９】
前述するように、ディスク１の位置決め孔２Ｂは、予めディスク１の曲目パターンの開始位置に応じた角度位置に設けられ、同様に、この位置決め用孔２Ｂに応じた角度位置に歯車体４９側の支持部４９Ａに突起部４９Ｄが設けられ、更に、同様に、この突起部４９Ｄに応じた角度位置に、支持部４９の切欠き部４９Ｂが設けられている。
【００８０】
従って、保持機構４０に装着されたディスク１に対して、そのディスク１の演奏開始及び演奏終了位置は、常に一定となり、保持機構４０側の切欠き部４９Ｂを検出することにより、この演奏開始及び終了位置を判別することができる。
【００８１】
そして、本例においては、切欠き部４９Ｂの検出手段として、簡易なマイクロスイッチ６１をディスクオルゴール側に固定設置して用い、ディスク回転位置検出手段６０を構成している。
【００８２】
すなわち、歯車体４９の支持部４９Ａに設けた切欠き部４９Ｂの位置と、ホルダー４２内部にマイクロスイッチ６１を設置する位置とは、互いに上下方向に一致した場合に、ディスク１の回転位置が、その開始曲の演奏開始及び演奏終了位置なるように設置されている。
【００８３】
このマイクロスイッチ６１は、図８（１）に示すように、スイッチ６１本体の上部に、ピン状のスイッチレバー６１ａを備え、このスイッチレバー６１ａは、その基端にスイッチ本体に回転可能に支持されるとともに、その先端が上方に向くようにバネ等により、付勢されている。
【００８４】
また、マイクロスイッチ６１と歯車体４９の支持部４９Ａの下面との距離は、そのスイッチレバー６１ａの全長よりも短く、つまり、オルゴールの演奏途中の回転位置では、スイッチレバー６１ａが、支持部４９の下面に当接して倒される距離に設定されている。
【００８５】
そして、このマイクロスイッチ６１内部には、スイッチレバー６１ａに連動して、検出信号を送出する接点構造等が収納されている。
【００８６】
また、このマイクロスイッチ６１は、通常とは逆転動作し、スイッチレバー６１ａが倒された場合に、オフ信号を出力する一方、スイッチレバー６１ａが起立した場合に、オフ信号を出力するように設定されている。尚、これに限らず、通常設定のマイクロスイッチ６１を配置し、このスイッチの出力信号を逆転回路を介して用いる構成としても良い。
【００８７】
従って、ディスク１の１回転途中、つまり、オルゴール曲の演奏途中の場合には、図８（２）に示すように、マイクロスイッチ６１のスイッチレバー６１ａは、歯車体の支持部下面に当接して倒立され、オフ状態の信号が出力される。
【００８８】
そして、図８（３）に示すように、歯車体４９に設けた切欠き部４９Ｂが、スイッチレバー６１ａの直上方位置に到達すると、この切欠き部４９Ｂにスイッチレバー６１ａが入り込み、スイッチレバー６１ａが上方に起立するので、マイクロスイッチ６１からオン状態の検出信号が出力され、これに基づき、ディスク１の回転駆動を停止し、オルゴール演奏を終了することができる。
【００８９】
尚、このようにディスクの回転位置検出手段を構成しているので、これを用いて、従来と同様に、ディスク１のセット時に、自動的にディスク１をオルゴール演奏開始位置に設定する自動設定機構を容易に実現することができる。
【００９０】
以上説明したように、本例のディスクオルゴールのオートチェンジ機構１０によれば、収納部１２に複数枚格納したディスクを、適宜、任意に選択交換して、自動的にオルゴール演奏することができる。
【００９１】
すなわち、収納部１２に積層して格納したディスク１を、その格納姿勢のまま、オルゴールにセットするようにしているので、スペースの利用効率が良く、時計等に容易に組込むことができ、利用範囲が広い。
【００９２】
また、移送機構１３は、前後駆動と、９０度の回動の２つの駆動機構を組み合わせた簡素な構成によって、ディスク・セットすることができるため、動作の信頼性や耐久性を十分に確保でき、コスト的にも有利である。
【００９３】
また、任意選択したディスクを保持するホルダーが一体として移送機構に組込まれ、更に、この移送機構に演奏動作を行う演奏機構も備えられているため、移送動作から演奏動作への移行がスムーズとなる。
【００９４】
また、ディスクの１回転位置検出を、ディスク自体に、該検出用の爪部や孔部等からなる被検出部を設けずに、ディスクに装着したホルダー自体に被検出部が設けられているため、多数生産するディスク自体の製作が容易となるとともに、該被検出部の損傷等によるディスク回転位置の制御不良等を防止することができ、ディスクの取扱が容易となる。
【００９５】
このように、本例のディスクオルゴールのオートチェンジ機構によれば、ディスクの交換動作及びオルゴール演奏動作を、外部に視認させた構成とすることにより、からくり的な装飾性として見た目の楽しさを提供することができ、商品購買力を喚起することができる。
【００９６】
【発明の効果】
以上説明したように、本発明は、演奏動作を行うオルゴールと、オルゴールディスクを複数枚収納可能である収納部を備え、前記収納部に複数枚収納されたオルゴールディスクを前記オルゴールへ移送する移送機構を設けたディスクオルゴールのオートチェンジ機構において、前記収納部は、オルゴールの保持方向と同方向に立設して収納するものであり、また、前記移送機構は、収納部に収納されたオルゴールディスクを移送機構に保持する保持機構と、前後移動及び回動移動する駆動機構と、保持されたオルゴールディスクを回転駆動して、演奏動作を開始する演奏機構とを備え、前記収納部に保持された任意のオルゴールディスクを選択保持して、オルゴールにセットし、前記演奏機構によって、オルゴールディスクの演奏動作を行い、演奏終了後には、再び、収納部に移送するものであり、前記オルゴールディスクは、中央に装着孔を有するものを用い、更に、前記保持機構は、前記オルゴールディスクを装着して該オルゴールディスクの前記装着孔を係止保持及び装着解除する装着部材を備え、前記移送機構がオルゴールセット位置並びにオルゴール収納位置にあるときに、前記保持機構の装着部材により前記オルゴールディスクの係止保持及び装着解除がなされる構成のディスクオルゴールのオートチェンジ機構である。
【００９７】
このように、本発明のオートチェンジ機構に設けた移送機構は、オルゴールディスクの任意選択及びオルゴールディスクを保持する保持機構、オルゴールディスクをオルゴールにセットし、演奏動作を行う演奏機構を同時に備えるものであり、オルゴールディスクの保持、移送及び演奏の一連の動作を、安定に行うことができる。また、前記収納部は、複数枚数のオルゴールディスクを前記オルゴールの保持方向と同方向に立設して収納するので、移送機構の動きを前後及び回転駆動の可及的単純な動作で賄うことができる。また、前記オルゴールディスクは、中央に装着孔を有するものを用い、更に、前記保持機構は、前記オルゴールディスクを装着して該オルゴールディスクの前記装着孔を係止保持及び装着解除する装着部材を備え、そして、前記移送機構がオルゴールセット位置並びにオルゴール収納位置にあるときに、前記保持機構の装着部材により前記オルゴールディスクの係止保持及び装着解除がなされるので、オルゴールディスクが、比較的単純な動作で移送機構に安定に保持され、移送動作の信頼性が向上する。
【００９８】
従って、従来においては、オートチェンジ機構を用いることが困難であった、オルゴール弁を爪弾くための突起が形成されているオルゴールディスクであっても、任意に好みの曲を選択するオートチェンジ機構を設けることができる。
【０１０１】
本願第２請求項に記載した発明は、前記請求項１記載のディスクオルゴールのオートチェンジ機構において、前記演奏機構は、駆動機構に備えられたモータ駆動を前記保持機構の歯車体に連動する所定の歯車体及び伝達軸を備え、オルゴールセット時にオルゴールディスクを回転して、所定位置から所定速度で演奏動作を行う構成のオルゴールディスクのオートチェンジ機構である。
【０１０２】
このように、移送機構には、オルゴールディスクの演奏動作を行う演奏機構が備えられているため、オルゴールディスクを保持機構に保持したまま演奏動作を行うことができ、移送動作から演奏動作への移行がスムーズとなる。
【０１０３】
このように、本発明によれば、ディスク交換が確実で、交換動作に信頼性があり、且つ、ディスク回転の安定性を確保できるディスクオルゴールのオートチェンジ機構を得ることができる。
【０１０４】
また、オートチェンジ機構を外部から視認することができるようにすると、突起のあるオルゴールディスクをデザイン的に見せることができ、また、オートチェンジ機構をからくり動作的に見せることができるため、見た目の楽しさを提供して商品購買力を向上することができる。
【図面の簡単な説明】
【図１】本発明のディスクオルゴールのオートチェンジ機構に係り、全体構成を示す正面図である。
【図２】図１に示す、ディスクオルゴールのオートチェンジ機構の側面図である。
【図３】本発明のオルゴールディスクの概略全体構成を示す斜視図である。
【図４】本例のオルゴールディスクの演奏用係合部である突起の形成過程を示し、（１）はオルゴールディスクに切り込みを入れた状態の斜視図、（２）はこの切り込みを押圧して切り起こし部を形成した状態の斜視図、（３）は更にこの切り起こし部を中間で折り曲げて突起を形成した状態の斜視図である。
【図５】本例のオルゴールディスクに係り、オルゴールディスク及び保持機構の概略構成を示す分解斜視図である。
【図６】本例のオルゴールディスクに係り、オルゴールディスク及び移送機構の概略構成を示す斜視図である。
【図７】本例のオルゴールディスクの発音動作を説明し、（１），（２）は発音準備状態を示し、（３）はオルゴールディスクの演奏用係合部にスターホイールの爪が係合した初期状態を示し、（４）はスターホイールの爪によりオルゴール弁が弾かれた発音状態を示す。
【図８】本例に係り、（１）はマイクロスイッチを示す側面図、（２）及び（３）はマイクロスイッチと歯車体の係合状態を示す図である。
【符号の説明】
１    オルゴールディスク
２Ａ    装着孔
２Ｂ    回転駆動用の位置決め孔
３    演奏用係合部
３Ａ    係合突起
１０    オートチェンジ機構
１１    ケース
１２    収納部
１５    切欠き部
１６    溝部
２０    オルゴール
２１    台座部
２６    スターホイール
２６Ａ    スターホイール軸
２７    発音体
２７ａ    オルゴール弁
３０    駆動機構
３１Ａ    モータブロック
３１Ｂ    モータブロック
３２    ラック
３３    ピニオン
３４    台座
４０    保持機構
４１    保持アーム
４２    ホルダー
４２Ａ    外周支持部
４３    装着部材
４４    中心軸
４５    第１のロケーションディスク
４５ａ    軸挿通部
４５ｂ    溝部
４５Ａ    支持面
４６    第２のロケーションディスク
４６ａ    軸挿通部
４６ｂ    溝部
４７    ピン
４７Ａ    係止部
４８    ピンプレート
４８ａ    軸挿通部
４９    歯車体
４９Ａ    支持部
４９Ｂ    切欠き部
４９Ｃ    歯車部
４９Ｄ    突起部
５０    演奏機構
５１    ウォームギア
５２    第１入力歯車
５３    伝達軸
５４    第１出力歯車
５５    第２歯車
５５ａ    入力歯車部
５５ｂ    出力歯車部
６０    ディスク回転位置検出手段
６１    マイクロスイッチ
６１ａ    スイッチレバー
Ｍ    オルゴールディスク駆動用モータ
【図１】
0003546129.tif 000002
【図２】
0003546129.tif 000003
【図３】
0003546129.tif 000004
【図４】
0003546129.tif 000005
【図５】
0003546129.tif 000006
【図６】
0003546129.tif 000007
【図７】
0003546129.tif 000008
【図８】
0003546129.tif 000009